(57)【特許請求の範囲】
【請求項１】
形状可変型の基板；
前記基板と接触する第１導電層；
前記第１導電層の一部と接触する第１電極層；
前記基板と接触し、第１導電層と同一平面上に位置する第２導電層；
前記第２導電層と接触する集電体；
前記第２導電層及び集電体と接触する導電性接着剤；
前記集電体と接触し、前記第１電極層と反対極性の第２電極層；
前記第１電極層と第２電極層の間に位置するイオン伝導性高分子電解質液；及び、
前記イオン伝導性高分子電解質液を密封する接着剤を含む電池一体型イオントフォレシスパッチであって、前記密封する接着剤により、第１、第２電極層及びイオン伝導性高分子電解質液からなる電池部のみを合わせて密封することで、第１、第２導電層を含む電池一体型イオントフォレシスパッチの他の部分から、前記電池部のみを隔離することを特徴とする電池一体型イオントフォレシスパッチ。
【請求項２】
前記基板は、ポリエチレンテレフタレート及びポリアクリロニトリルのいずれか１種でなることを特徴とする、請求項１に記載の電池一体型イオントフォレシスパッチ。
【請求項３】
前記第１導電層は、カーボン粉末及び銀粉末のいずれか１種を含むことを特徴とする、請求項１に記載の電池一体型イオントフォレシスパッチ。
【請求項４】
前記第１電極層は、二酸化マンガン粉末、カーボン粉末及びバインダーを含むことを特徴とする、請求項１に記載の電池一体型イオントフォレシスパッチ。
【請求項５】
前記バインダーは、ポリエチレンオキシド、ポリビニルアルコール、ポリビニルピロリドン及びポリメチルメタクリレートのいずれか１種またはこれらの組合せでなることを特徴とする、請求項４に記載の電池一体型イオントフォレシスパッチ。
【請求項６】
前記第２導電層は、カーボン粉末、銀粉末及びニッケル粉末のいずれか１種を含むことを特徴とする、請求項１に記載の電池一体型イオントフォレシスパッチ。
【請求項７】
前記集電体はカーボン粉末を含むことを特徴とする、請求項１に記載の電池一体型イオントフォレシスパッチ。
【請求項８】
前記密封する接着剤は両面テープであることを特徴とする、請求項１に記載の電池一体型イオントフォレシスパッチ。
【請求項９】
前記第２電極層は、亜鉛粉末、カーボン粉末及びバインダーを含むことを特徴とする、請求項１に記載の電池一体型イオントフォレシスパッチ。
【請求項１０】
前記バインダーは、ポリエチレンオキシド、ポリビニルアルコール、ポリビニルピロリドン及びポリメチルメタクリレートのいずれか１種またはこれらの組合でなることを特徴とする、請求項９に記載の電池一体型イオントフォレシスパッチ。
【請求項１１】
前記イオン伝導性高分子電解質液は、塩化亜鉛、塩化アンモニウム及び塩化ナトリウムのいずれか１種またはこれらの組合せを含むことを特徴とする、請求項１に記載の電池一体型イオントフォレシスパッチ。
【請求項１２】
前記導電性接着剤は、カーボン粉末及び金属粉末のいずれか１種またはこれらの組合せを含むことを特徴とする、請求項１に記載の電池一体型イオントフォレシスパッチ。
【請求項１３】
皮膚に付着しやすく形状が可変な絶縁材のバッキング層をさらに含むことを特徴とする、請求項１に記載の電池一体型イオントフォレシスパッチ。
【発明の詳細な説明】
【技術分野】
【０００１】
本発明は電池一体型イオントフォレシスパッチに係り、より詳しくは薬物や美容物質などの関心物質を皮膚に浸透させるための手段としてイオントフォレシス原理を用いる電池一体型イオントフォレシスパッチに関する。
【背景技術】
【０００２】
イオントフォレシス（Ｉｏｎｔｏｐｈｏｒｅｓｉｓ）は皮膚に微細電流を流すことで、電荷を持つ関心物質を電気的反発力によって皮膚中に浸透させる技術を言う。
【０００３】
関心物質を搭載したパッチを皮膚に付着すれば、回路が形成されて電流が発生し、電気的反発力によって関心物質が皮膚中に浸透する。関心物質の浸透速度は流れる電流量と電圧に影響されると知られている。
【０００４】
従来のイオントフォレシスパッチは、薄型電池と導電性電極が付着されたパッチが互いに独立して製作された後、導電性電極と薄型電池を電気的に連結して組み立てられる方式であった。しかし、電流が流れるとき、抵抗が高くなり、組立て手続きが複雑で生産性が低下し、製造原価が高い問題点があった。
【０００５】
前記のような問題点を解決するために、本願出願人が先出願した大韓民国登録特許第８６８３５０号のイオントフォレシス用パッチにおいては、パッチ内の伝導層に電極物質を直接塗布することでパッチと電池を単一システムに構成することにより、パッチの伝導層が電池の電極の役目をし、皮膚との接触抵抗を最小化するように、イオン伝導性ヒドロゲルを使った。しかし、関心物質が直接電池の電極と接触して電気化学的耐性が弱い関心物質は反応に関与して破壊される欠点がある。
【発明の概要】
【発明が解決しようとする課題】
【０００６】
本発明は前述したような従来の諸般欠陥に鑑みてなされたもので、その目的はイオントフォレシスパッチと電池を一体化して製造生産性を向上させ、電流抵抗を最小化して高効率を提供することにある。また、本発明の他の目的はイオントフォレシスパッチの関心物質が電極反応に参加して破壊されることを防止して、電気化学的耐性の弱い関心物質も適用することができるイオントフォレシスパッチを提供することにある。
【課題を解決するための手段】
【０００７】
このような目的を達成するための本発明は、形状可変型の基板、前記基板と接触する第１導電層、前記第１導電層の一部と接触する第１電極層、前記基板と接触し、第１導電層と同一平面上に位置する第２導電層、前記第２導電層と接触する集電体、前記第２導電層及び集電体と接触する導電性接着剤、前記集電体と接触し、前記第１電極層と反対極性の第２電極層、前記第１電極層と第２電極層の間に位置するイオン伝導性高分子電解質、及び前記イオン伝導性高分子電解質を密封する接着剤を含んでなる。
【発明の効果】
【０００８】
本発明による電池一体型イオントフォレシスパッチは、第１導電層、第１電極層、第２導電層、第２電極層及び高分子電解質で構成し、電極の周囲を密封して電極物質と電解液をパッチの導電層から隔離することによって、関心物質が電極反応に参加して破壊されることを防止することができるので、電気化学的耐性の弱い関心物質も適用することができるだけでなく、パッチの効率を高め、製造生産性も向上させることができる効果がある。
【図面の簡単な説明】
【０００９】
【図１】本発明を示す平面図である。
【図２】第１導電層と第２導電層を示す平面図である。
【図３】第１電極層を示す第１電極部の平面図である。
【図４】イオン伝導性高分子電解質を示す平面図である。
【図５】集電体を示す平面図である。
【図６】第２電極層を示す第２電極部の平面図である。
【図７】第２電極層に接着剤と導電性接着剤が配置されたものの平面図である。
【図８】第２電極層に接着剤と導電性接着剤が配置されたものの平面図である。
【発明を実施するための形態】
【００１０】
本発明による電池一体型イオントフォレシスパッチの好適な実施例を添付図面に基づいて詳細に説明すれば次のようである。
【００１１】
以下の本発明の説明において、関連の公知の機能または構成についての具体的な説明が本発明の要旨を不要にあいまいにすることができると判断される場合にはその詳細な説明を省略する。そして、後述する用語は本発明での機能を考慮して定義された用語で、これは使用者、運用者の意図または判例などによって変わることができ、よって各用語の意味は本明細書の全般の内容に基づいて解釈されなければならない。
【００１２】
まず、本発明の電池一体型イオントフォレシスパッチは、形状可変型の基板（Ｓｕｂｓｔｒａｔｅ）、前記基板と接触する第１導電層、前記第１導電層の一部と接触する第１電極層、前記基板と接触し、第１導電層と同一平面上に位置する第２導電層、前記第２導電層と接触する集電体、前記第２導電層及び集電体と接触する導電性接着剤、前記集電体と接触し、前記第１電極層と反対極性の第２電極層、前記第１電極層と第２電極層の間に位置するイオン伝導性高分子電解質、及び前記イオン伝導性高分子電解質を密封する接着剤を含む。
【００１３】
本発明の構成の理解に役立てるために、便宜上第１電極部１００と第２電極部２００に分けて説明する。しかし、本発明が第１電極部と第２電極部に分けられるものにだけ限定されるものではない。
【００１４】
本発明の他の実施例において、前記基板はポリエチレンテレフタレート（ｐｏｌｙｅｔｈｙｌｅｎｅ ｔｅｒｅｐｈｔｈａｌａｔｅ）及びポリアクリロニトリル（ｐｏｌｙａｃｒｙｌｏｎｉｔｒｉｌｅ）のいずれか１種でなる。
【００１５】
本発明のさらに他の実施例において、前記第１導電層はカーボン粉末及び銀粉末のいずれか１種を含む。
【００１６】
前記第１導電層の一部には電気を発生させる物質、導電剤及びバインダーでなるスラリーを塗布した後、第１電極層を構成して陽極として作動するようにする。
【００１７】
本発明のさらに他の実施例において、前記第１電極層は二酸化マンガン粉末、カーボン粉末及びバインダーを含む。
【００１８】
本発明のさらに他の実施例において、前記バインダーは、ポリエチレンオキシド（ｐｏｌｙｅｔｈｙｌｅｎｅ ｏｘｉｄｅ）、ポリビニルアルコール（ｐｏｌｙｖｉｎｙｌ ａｌｃｏｈｏｌ）、ポリビニルピロリドン（ｐｏｌｙｖｉｎｙｌ ｐｙｒｒｏｌｉｄｏｎｅ）及びポリメチルメタクリレート（ｐｏｌｙｍｅｔｈｙｌ ｍｅｔｈａｃｒｙｌａｔｅ）のいずれか１種またはこれらの組合せでなる。
【００１９】
本発明のさらに他の実施例において、前記第２導電層はカーボン粉末、銀粉末及びニッケル粉末のいずれか１種を含む。
【００２０】
本発明のさらに他の実施例において、前記集電体はカーボン粉末を含む。
【００２１】
本発明のさらに他の実施例において、前記接着剤は両面テープであってもよい。
【００２２】
本発明のさらに他の実施例において、前記第２電極層は亜鉛粉末、カーボン粉末及びバインダーを含む。
【００２３】
本発明のさらに他の実施例において、前記バインダーは、ポリエチレンオキシド（ｐｏｌｙｅｔｈｙｌｅｎｅ ｏｘｉｄｅ）、ポリビニルアルコール（ｐｏｌｙｖｉｎｙｌ ａｌｃｏｈｏｌ）、ポリビニルピロリドン（ｐｏｌｙｖｉｎｙｌ ｐｙｒｒｏｌｉｄｏｎｅ）及びポリメチルメタクリレート（ｐｏｌｙｍｅｔｈｙｌ ｍｅｔｈａｃｒｙｌａｔｅ）のいずれか１種またはこれらの組合せでなる。
【００２４】
本発明のさらに他の実施例において、前記イオン伝導性高分子電解質は、塩化亜鉛、塩化アンモニウム及び塩化ナトリウムのいずれか１種またはこれらの組合せを含む。
【００２５】
本発明のさらに他の実施例において、前記導電性接着剤は、カーボン粉末と金属粉末のいずれか１種またはこれらの組合せを含む。
【００２６】
本発明のさらに他の実施例において、皮膚に付着しやすくなるように形状可変の絶縁材質のバッキング層（ｂａｃｋｉｎｇ ｌａｙｅｒ）をさらに含む。
【００２７】
このように構成された本発明による好適な一実施例を詳細に説明すれば次のようである。下記の説明は一実施例であるだけ、本発明がこれに限らない。
【００２８】
第１電極部１００は、基板１１０、第１導電層１２０、前記導電層上の第１電極層１３０、第１導電層１２０と同一平面上に位置し、導電性を持つ第２導電層２２０、前記第２導電層２２０と電気的に連結され、及び第１電極層１３０と向い合う第２電極層２３０からなり、前記第１電極層１３０と第２電極層２３０の間にはイオン伝導性高分子電解質３００が配置される。
【００２９】
基板１１０上にカーボン粉末のカーボンインク及び銀粉末の銀インクのいずれか１種を含む伝導性物質でコートして第１導電層１２０を形成する。
【００３０】
前記第１導電層１２０の一部には電気を発生させる物質、導電剤及びバインダーでなるスラリーを塗布した後、第１電極層１３０を構成して陽極として作動するようにする。
【００３１】
電気を発生させる物質としては二酸化マンガン粉末、導電剤としてはカーボン粉末が好ましい。バインダーとしてはポリエチレンオキシド（ｐｏｌｙｅｔｈｙｌｅｎｅ ｏｘｉｄｅ）、ポリビニルアルコール（ｐｏｌｙｖｉｎｙｌ ａｌｃｏｈｏｌ）、ポリビニルピロリドン（ｐｏｌｙｖｉｎｙｌ ｐｙｒｒｏｌｉｄｏｎｅ）及びポリメチルメタクリレート（ｐｏｌｙｍｅｔｈｙｌ ｍｅｔｈａｃｒｙｌａｔｅ）のいずれか１種またはこれらの組合せでなることができる。
【００３２】
第２導電層２２０は第１導電層１２０と同一物質を使うことができ、カーボン粉末のカーボンインク、銀粉末の銀インク及びニッケル粉末のニッケルインクのいずれか１種を含む伝導性物質でコートすることで、第１導電層１２０から電気的に互いに分離されるように設計する。
【００３３】
第２電極部２００は、基板２１０上にカーボン粉末のカーボンインクを塗布して集電体２４０を構成する。
【００３４】
第２電極層２３０は、集電体２４０と接触し、電気を発生させる物質、導電剤及びバインダーでなるスラリーをさらに塗布して構成することで陰極として作動するようにする。
【００３５】
電気を発生させる物質としては亜鉛粉末、導電剤はカーボン粉末が好ましい。バインダーは、ポリエチレンオキシド（ｐｏｌｙｅｔｈｙｌｅｎｅ ｏｘｉｄｅ）、ポリビニルアルコール（ｐｏｌｙｖｉｎｙｌ ａｌｃｏｈｏｌ）、ポリビニルピロリドン（ｐｏｌｙｖｉｎｙｌ ｐｙｒｒｏｌｉｄｏｎｅ）及びポリメチルメタクリレート（ｐｏｌｙｍｅｔｈｙｌ ｍｅｔｈａｃｒｙｌａｔｅ）のいずれか１種またはこれらの組合せでなることができる。
【００３６】
導電性接着剤２５０は集電体２４０と第２導電層２２０を連結する役目をし、カーボン粉末と金属粉末のいずれか１種またはこれらの組合せを含む。特に、陽極として動作する第１電極層１３０と陰極として動作する第２電極層２３０の場合には、それぞれ二酸化マンガン粉末と亜鉛粉末の状態で使用して高電流密度と製造工程上の便利さをはかることができる。
【００３７】
第１電極層１３０と第２電極層２３０の間にはイオンが流れるようにイオン伝導性高分子電解質３００が配置される。高分子電解質３００は、塩化亜鉛、塩化アンモニウム及び塩化ナトリウムのいずれか１種またはこれらの組合せをとかした水溶液にポリエチレンオキシド（ｐｏｌｙｅｔｈｙｌｅｎｅ ｏｘｉｄｅ）、ポリビニルアルコール（ｐｏｌｙｖｉｎｙｌ ａｌｃｏｈｏｌ）及びポリビニルピロリドン（ｐｏｌｙｖｉｎｙｌ ｐｙｒｒｏｌｉｄｏｎｅ）のいずれか１種またはこれらの組合せをとかしてゲル状に製造した後、これで不織布やクラフト紙（ｋｒａｆｔ ｐａｐｅｒ）を濡らして使う。
【００３８】
高分子電解質３００の周囲に、電解質の蒸発を防止するとともに第２電極部２００をパッチに付着するために導入する接着剤２６０は第２電極部２００と同一形状に製作することができ、イオン伝導性高分子電解質３００と導電性接着剤２５０が位置する部分は切り取って本発明の目的に合うようにする。接着剤２６０は、他の実施例において、両面テープであることができる。第２電極層２３０の集電体２４０と第２導電層２２０の間に導電性接着剤２５０を導入して電流が流れるように誘導する。
【００３９】
第１導電層１２０の一部に塗布される電極物質は第１導電層１２０に搭載される関心物質の電荷によって決まる。人体に投与する関心物質が陰電荷を帯びる場合、陰極物質を塗布することになり、陽電荷を帯びる物質であれば、陽極物質を塗布して電気的反発力を引き起こすように設計する。本発明の一実施例においては、第１電極層１３０が陽極として動作し、第２電極層２３０が陰極として動作するものを基準として説明する。
【００４０】
本発明の動作原理は、電池反応の結果として出る電子の流れ（電流）を用いた電気的反発力で極性を持つ関心物質を皮膚中に浸透させることである。
【００４１】
イオントフォレシスパッチの第１導電層１２０に直接塗布された第１電極層１３０と第２導電層２２０に電気的に連結された第２電極層２３０の間に電解液が存在し、接着剤２６０で電池とパッチ伝導層を隔離する構造のものである。
【００４２】
関心物質を第１導電層１２０上に搭載してイオントフォレシスパッチを皮膚に付着すれば、回路が形成されることにより関心物質が皮膚に浸透する。回路が構成されるとき陰極から出た電子は集電体２４０と導電性接着剤２５０を通過し第２導電層２２０の表面で電荷移動（ｃｈａｒｇｅ ｔｒａｎｓｆｅｒ）過程を経った後、陰イオンの形態として第１導電層１２０に向かって皮膚中に移動することになる。皮膚中を移動する陰イオンは皮膚と第１導電層１２０の界面で電荷移動段階を経て電子形態として陽極に移動して還元反応に参加することになり、同一原理によって陽イオンは陰イオンと反対方向に皮膚中を移動することになる。この際、同一極性を持つ関心物質を皮膚中に動かすようにする。この際、電子と等価のイオンが接着剤２６０で隔離された高分子電解質３００を介して陽極と陰極の間を移動することになる。
【００４３】
したがって、本発明は第１導電層１２０上にすぐ電極を塗布して電気的に連結するときに発生する抵抗の増加を最小化することができるだけでなく、関心物質と電極が分離されているので、電気化学的耐性が弱い関心物質も適用することができる利点を持つ。また、パッチと電池を同一工程で製造することができるので、生産性を高めることができる。
【００４４】
以下、添付図面に基づいて本発明の一実施例を説明する。
【００４５】
図１は本発明によるイオントフォレシスパッチを概略的に示す平面図である。第１導電層１２０及び第１電極層１３０を含んでなる第１電極部１００とイオン伝導性高分子電解質３００でなるイオントフォレシスパッチに第２電極層２３０及び集電体２４０を含んでなる第２電極部２００を接着剤２６０の両面テープで密封した。
【００４６】
本発明を皮膚に付着しやすくするために、基板１１０の下端に基板より拡張したサイズのバッキング層１４０が付着され、拡張したバッキング層の接着面が皮膚に接触して形状が変わりながら付着されるものである。
【００４７】
図２は基板１１０に第１導電層１２０及び第２導電層２２０を示す構成図である。基板１１０、２１０は１０〜５０μｍ厚さのポリエチレンテレフタレート（ｐｏｌｙｅｔｈｙｌｅｎｅ ｔｅｒｅｐｈｔｈａｌａｔｅ）やポリアクリロニトリル（ｐｏｌｙａｃｒｙｌｏｎｉｔｒｉｌｅ）フィルムが好ましく、これをバッキング層１４０に付着してパッチを製作することができるものである。
【００４８】
第１導電層１２０及び第２導電層２２０はカーボン粉末のカーボンインク、銀粉末の銀インクなどの金属粉末またはカーボン成分と高分子でなるスラリーを使用し、シルク印刷、オフセット印刷、物質蒸発及びスラリーコーティング技術などを適用する。
【００４９】
前記基板１１０上にカーボンインクを印刷してから乾燥して厚さ約１５μｍ程度の導電層を製造する。この際、第１導電層１２０及び第２導電層２２０の構成物が同一である場合、同時に製造することもできる。
【００５０】
図２及び図３は第１導電層１２０において第２導電層２２０で取り囲まれた円形部に陽極複合物質をコートして乾燥することで第１電極層１３０を構成した第１電極部１００を示す平面図である。陽極複合物質は二酸化マンガン粉末、カーボン粉末及びバインダーでなる。
【００５１】
電気を発生する陽極活物質は種々の物質が検討されたが、電気容量、電圧、電気化学的特性及び製品の流通環境などを考慮すると二酸化マンガンが好ましい。
【００５２】
陽極複合物質に適用されたバインダーは、ポリエチレンオキシド（ｐｏｌｙｅｔｈｙｌｅｎｅ ｏｘｉｄｅ）、ポリビニルアルコール（ｐｏｌｙｖｉｎｙｌ ａｌｃｏｈｏｌ）、ポリビニルピロリドン（ｐｏｌｙｖｉｎｙｌ ｐｙｒｒｏｌｉｄｏｎｅ）、２−ヒドロキシエチルセルロース（２−ｈｙｄｒｏｘｙｅｔｈｙｌ ｃｅｌｌｕｌｏｓｅ）及びポリメチルメタクリレート（ｐｏｌｙｍｅｔｈｙｌ ｍｅｔｈａｃｒｙｌａｔｅ）のいずれか１種またはこれらの組合せでなる。
【００５３】
電極製造の際、単一種のバインダーよりは２種以上のバインダーを一緒に混合した多成分バインダーシステムが電気的効率、機械的強度、伝導性電極との接着力の面で有利である。特に、電極バインダーとしてポリエチレンオキシド（ｐｏｌｙｅｔｈｙｌｅｎｅ ｏｘｉｄｅ）とポリメチルメタクリレート（ｐｏｌｙｍｅｔｈｙｌ ｍｅｔｈａｃｒｙｌａｔｅ）の組合せは電極の耐久性と製造工程性が優秀であって好ましい。
【００５４】
図４は製造された第１電極層１３０上にイオン伝導性高分子電解質３００を位置させた状態を示す平面図である。イオン伝導性高分子電解質３００は、イオン伝導性を付与するために、電解質をとかした水溶液に高分子を混合してゲル状に製作される。
【００５５】
高分子ゲルは一般的に水と親水性ゲル物質でなり、主にポリエチレンオキシド（ｐｏｌｙｅｔｈｙｌｅｎｅ ｏｘｉｄｅ）、ポリビニルピロリドン（ｐｏｌｙｖｉｎｙｌ ｐｙｒｒｏｌｉｄｏｎｅ）及びポリビニルアルコールのいずれか１種またはこれらの組合せを使用する。電解質は、塩化亜鉛、塩化アンモニウム及び塩化ナトリウムのいずれか１種またはこれらを組合わせを含むものが好ましい。
【００５６】
ゲル状の高分子電解質３００はそれ自体機械的強度が弱いことがあるので、不織布やクラフト紙に濡らした状態で組み立てられることができる。
【００５７】
図５及び図６は基板２１０上にカーボンインクを塗布した集電体２４０と上に第２電極層２３０である陰極複合物質を塗布した第２電極部２００を示す図である。
【００５８】
集電体２４０は発生した電流を第２導電層２２０に伝達する役目をする。集電体２４０の中央部位は円形に維持し、第２電極層２３０である陰極複合物質をスクリーン印刷法で塗布する。
【００５９】
陰極複合物質は、亜鉛粉末、カーボン粉末及びバインダーで構成される。電気を発生させる陰極活物質としては種々の物質が検討されたが、電気容量、電圧、電気化学的特性及び製造工程性などを考慮して粉末形態の亜鉛が好ましい。
【００６０】
陰極複合物質のバインダーは、陽極のバインダーと類似のポリエチレンオキシド（ｐｏｌｙｅｔｈｙｌｅｎｅ ｏｘｉｄｅ）、ポリビニルアルコール（ｐｏｌｙｖｉｎｙｌ ａｌｃｏｈｏｌ）、ポリビニルピロリドン（ｐｏｌｙｖｉｎｙｌ ｐｙｒｒｏｌｉｄｏｎｅ）及びポリメチルメタクリレート（ｐｏｌｙｍｅｔｈｙｌ ｍｅｔｈａｃｒｙｌａｔｅ）のいずれか１種またはこれらの組合せでなる高分子で構成され、特に、陰極バインダーとしてポリエチレンオキシド（ｐｏｌｙｅｔｈｙｌｅｎｅ ｏｘｉｄｅ）、ポリビニルピロリドン（ｐｏｌｙｖｉｎｙｌ ｐｙｒｒｏｌｉｄｏｎｅ）、及びポリメチルメタクリレート（ｐｏｌｙｍｅｔｈｙｌ ｍｅｔｈａｃｒｙｌａｔｅ）の組合せは電気的効率、製造工程性、伝導性電極層との決着力の面で優れているのが好ましい。
【００６１】
前記陽極層と陰極階の厚さは電気的容量などを考慮して決められ、一般的に８０〜１００μｍ程度の厚さを形成することが好ましい。
【００６２】
図７及び図８は第２電極層２３０である陰極部分を示すもので、第１電極層１３０と第２電極層２３０の間に位置する高分子電解質３００の保存のために、第２電極層２３０の周囲を取り囲む両面テープ２６０を接着する。両面テープ２６０から第２電極層２３０と集電体２４０の部分を切り取った後、第２電極層２３０は高分子電解質３００を介在して第１電極層１３０と接触するようにし、集電体２４０の部位に導電性接着剤２５０を塗布して第２伝導層本体をパッチ本体に付着することで、第２導電層２２０と接するようにする。導電性接着剤２５０はカーボン粉末と金属粉末のいずれか１種またはこれらの組合せを含むことが好ましい。
【００６３】
バッキング層１４０は絶縁材（ｉｎｓｕｌａｔｉｎｇ ｍａｔｅｒｉａｌ）でなることが好ましく、皮膚の形状によって形状が変わるように曲がることができる材質で形成されることが好ましい。
【００６４】
以上のように、本発明はたとえ限定された実施例及び図面に基づいて説明したが、本明細書及び請求範囲に使用された用語及び単語は通常の意味または辞書的な意味に限定されて解釈されてはいけなく、本発明の技術的思想に合う意味と概念に解釈されなければならない。よって、本明細書に記載された実施例と図面に示す構成は本発明の一実施例に過ぎないもので、本発明の技術的思想をすべて表すものではないので、本出願時点においてこれらを取り替えることができる多様な等価物と変形例も本発明の範疇に属するものとして理解しなければならない。
【符号の説明】
【００６５】
１１０：基板
１００：第１電極部
１２０：第１導電層
１３０：第１電極層
１４０：バッキング層
２００：第２電極部
２１０：基板
２２０：第２導電層
２３０：第２電極層
２４０：集電体
２５０：導電性接着剤
２６０：接着剤
３００：イオン伝導性高分子電解質
【図１】
0005540437.tif 000002
【図２】
0005540437.tif 000003
【図３】
0005540437.tif 000004
【図４】
0005540437.tif 000005
【図５】
0005540437.tif 000006
【図６】
0005540437.tif 000007
【図７】
0005540437.tif 000008
【図８】
0005540437.tif 000009